(57)【要約】  本開示の吸収性物品は、第１ベルトウェブ及び第２ベルトウェブと、第１締結要素及び第２締結要素を備える折り畳まれた締結タブ部材と、第１降着帯域及び第２降着帯域と、第１ベルトウェブ及び第２ベルトウェブを直接的に又は再締結可能に接合する横方向に対向する永久サイドシームとを備えることができる。締結タブ部材は、第１締結要素及び第２締結要素に接合されることができる。吸収性物品は、再締結可能な閉じた形態でパッケージ化されることができる。
2016508857.tif 000002
【特許請求の範囲】
【請求項１】
吸収性物品であって、
第１ベルトウェブと、
第２ベルトウェブと、
第１の折り畳まれた締結タブ部材及び第１締結要素を備える、第１締結構成要素と、
第２の折り畳まれた締結タブ部材及び第２締結要素を備える、第２締結構成要素と、
前記第１ベルトウェブ及び前記第２ベルトウェブをそれぞれ、前記第１締結構成要素及び前記第２締結構成要素と接合する、横方向に対向する永久サイドシームと、
前記第１ベルトウェブ及び前記第２ベルトウェブを接合する横方向に対向する再締結可能なサイドシームと、
を備え、前記第１の折り畳まれた締結タブ部材及び前記第２の折り畳まれた締結タブ部材が、前記第１ベルトウェブ及び前記第２ベルトウェブのうちの一方に直接的に接合され、前記第１の折り畳まれた締結タブ部材及び前記第２の折り畳まれた締結タブ部材が、前記第１締結要素及び前記第２締結要素と接合され、
前記物品が、再締結可能な閉じた形態でパッケージ化される、物品。
【請求項２】
前記締結タブ部材が、前記第１ベルトウェブ及び前記第２ベルトウェブのうちの一方に永久的に接合される、請求項１に記載の物品。
【請求項３】
前記締結タブ部材が、前記第１締結要素及び前記第２締結要素を永久的に接合する、請求項１に記載の物品。
【請求項４】
前記締結タブ部材が、前記第１締結要素及び前記第２締結要素を再締結可能に接合する、請求項１に記載の物品。
【請求項５】
前記締結タブ部材が、前記第１ベルトウェブに直接的にかつ永久的に接合されるが、前記第２ベルトウェブに直接的にかつ永久的に接合されない、請求項１に記載の物品。
【請求項６】
前記締結タブ部材が、前記第１ベルトウェブ及び前記第２ベルトウェブに直接的にかつ永久的に接合される、請求項１に記載の物品。
【請求項７】
前記締結タブ部材が、前記第１ベルトウェブ及び前記第２ベルトウェブに再締結可能に接合される、請求項１に記載の物品。
【請求項８】
前記永久サイドシームが、前記第１ベルトウェブ及び前記第２ベルトウェブ、並びに前記締結タブ部材を包含する、請求項１に記載の物品。
【請求項９】
前記第１ベルトウェブ及び前記第２ベルトウェブの少なくとも一方が、引き裂き線を備えている、請求項８に記載の物品。
【請求項１０】
第２の別個の締結タブ部材並びに第３締結要素及び第４締結要素を更に備えている、請求項１に記載の物品。
【請求項１１】
前記第１締結タブ部材及び前記第２締結タブ部材が、前記第１締結要素、前記第２締結要素、前記第３締結要素、及び前記第４締結要素によって、前記第１ベルトウェブ及び前記第２ベルトウェブに再締結可能に接合される、請求項１０に記載の物品。
【請求項１２】
前記第１締結要素及び前記第２締結要素が、フック及びループである、請求項１〜１１のいずれか一項に記載の物品。
【請求項１３】
前記締結タブ部材が２回折り畳まれる、請求項１〜１２のいずれか一項に記載の物品。
【請求項１４】
前記第１締結要素及び前記第２締結要素が折り畳まれない、請求項１〜１３のいずれか一項に記載の物品。
【請求項１５】
締結構成要素が前記締結タブ部材並びに前記第１締結要素及び前記第２締結要素を備えており、前記締結構成要素が再締結可能な重なり合うシームを形成する、請求項１〜１４のいずれか一項に記載の物品。
【発明の詳細な説明】
【背景技術】
【０００１】
パンツ型の使い捨て吸収性物品は、着用者の腰部を取り囲み、パンツ全体の周囲の腰部縁部を形成し得る弾性ベルトを備える場合がある。中心シャーシは、その両端が弾性ベルトの腰部縁部のいくらか下で前側腰部区域及び後側腰部区域内の場所に配設されるようにして、弾性ベルトに（通常はその内側に）接合されることができる。この構成は、時に「ベルト」又は「バルーン」構成として知られる（以下、「ベルト」構成）。このタイプの構成の実施例は、現在アジアにおいて、Ｔｈｅ  Ｐｒｏｃｔｅｒ  ＆  Ｇａｍｂｌｅ  Ｃｏｍｐａｎｙにより商標ＰＡＭＰＥＲＳで、更にＵｎｉｃｈａｒｍ  Ｃｏｒｐｏｒａｔｉｏｎにより商標ＭＡＭＹ  ＰＯＫＯで製造販売されている。
【発明の概要】
【発明が解決しようとする課題】
【０００２】
使い易さという目的のためには、ベルト状構造物を容易に繰り返し開閉できるように、パンツが再締結可能な特徴を有していることが望ましい場合がある。これは、例えば機械的締結要素をベルト様構造、中心シャーシ、物品の他の要素及び／又はそれらの組み合わせの一部として吸収性物品の構造体に組み込むことによって達成され得る。再締結可能な機構は、脚部開口部及び腰部開口部を維持及び／又は確立するよう補助し得る。一部の現在製造されるベルト構造パンツは、再締結可能な機構を含むが、それらは特に高い生産速度で製造するには複雑すぎ、かつ使用するには複雑すぎると見なされることがある。また、一部は粗野又は未完成の外観を有すると見なされる場合がある。
【０００３】
本開示は、高速生産に対応できる再締結可能な特徴を形成するための、締結構成要素を備えるベルト構成を有する使い捨て吸収性パンツの構造設計及び製造プロセスの改善を明らかにする。
【課題を解決するための手段】
【０００４】
具体的には、本開示は、締結タブを折り畳む利点を明らかにする。例えば、延ばされた支持材料層が折り畳まれたベルトとして働くため、折り畳まれた締結タブ（例えば、２１０）は、締結タブの支持材料層及びフックの経路長の増大により吸収性物品のより狭い設置面積を可能にする。狭い設置面積は、よりすっきりとして見える製品をもたらす。また、このことは、より小さなパッケージ及び携帯性、並びに便利さを推進する助けとなる。更に、このことは、ベルトを折り畳む又は挟み込む必要性を減少させる。
【０００５】
締結タブを折り畳む別の利点は、それが、ベルトの残りの部分とは異なるより高価な、より伸縮性の高い材料から作ることができることである。このことは、ベルトがより伸縮性が低い、又は非弾性であることを可能にする。締結タブは、ベルトより坪量がかなり高い材料であってよく、この材料は費用効果が高く、より硬い材料から製造され得る締結要素にクッション性を提供することにより締結性能を改善する。（締結タブが製造され得る）より高価な材料は、接着剤、粘着剤などのような締結の代替形態を可能にするフィルム対不織布である場合がある。締結タブを製作するために使用され得る別の材料としては、フィルムストランド積層体を挙げることができる。
【０００６】
更に、締結タブを折り畳むことは、ベルトの前部又は後部のいずれも折り畳むことなく、ベルトのより前部又はより後部への締結要素の配設を可能にする。例えば、締結タブは、子供が締結具を取り除かない又は開かないようにするために、より年長の着用者のためのより大きなサイズでは背部に偏らせることができる。あるいは、締結タブは、交換のために仰向けに寝る幼い子供のために、前部に偏らせることができる。
【図面の簡単な説明】
【０００７】
【図１】使い捨て吸収性パンツの簡略化した斜視図である。
【図２】内側又は着用者に面する表面が上を向いた状態で示されている、使い捨て吸収性パンツの前駆体構造の簡略化した平面図である。
【図３】使い捨て吸収性パンツの簡略化した斜視図である。
【図４】締結構成要素を含む多層体ウェブの一部分の簡略化した概略断面図である。
【図５】締結構成要素を含む多層体ウェブの一部分の簡略化した概略断面図である。
【図６】締結構成要素を含む多層体ウェブの一部分の簡略化した概略断面図である。
【発明を実施するための形態】
【０００８】
用語の定義
「締結構成要素」とは、再締結可能な取り付け領域を画定する締結要素を指す。締結構成要素は、締結構成要素が分離されるまで、腰部及び脚部開口部を閉じた構成へと再構成するために、吸収性物品を再締結することを可能にする。締結構成要素は、１つ以上の再締結可能な締結要素、例えば、フック、ループ、球状部、キノコ状部、矢じり状部、茎部上のボール状部、ボタン、スナップ、再締結可能な粘着剤、選択的に再締結可能な接着剤などを含む場合がある。締結構成要素は、締結構成要素を損傷することなく、開放し、かつその後に確実に再閉鎖することができる。締結構成要素は、再締結可能なクロージャを形成する直接的な表面間接触により、取り付け領域を形成する、締結システムの要素を含む。明確にする目的で、表面間接触は、例えば、フック材料の表面と、ループ材料の表面との間の接触を含む。例えば、バックシートに接合されるタブ部材は、記載される締結材料には当たらない。締結構成要素は、タブに接合され、かつ他の締結構成要素又は吸収性物品の一部と接続するフック又はループであってもよい。
【０００９】
「弾性」又は「エラストマーの」は、実質的な破裂又は破損なしで、伸長の１０％以下の硬化で、１００％の歪みまで延びることができる伸張可能な材料（又は複数の材料の複合体）の特性を指す。弾性材料は、弾性的に延伸性であると見なされる。
【００１０】
「横方向」とは、パンツ及びその着用者に関して、着用者の身長に概ね垂直の方向又は着用者が立っているときの水平方向を指す。「横方向」はまた、前側腰部縁部の中点から後側腰部縁部の中点まで延びる線に概ね垂直の方向である。
【００１１】
「長手方向」とは、パンツ及びその着用者に関して、着用者の身長に概ね平行の方向又は着用者が立っているときの垂直方向を指す。「長手方向」はまた、前側腰部縁部の中点から後側腰部縁部の中点まで延びる線に概ね平行の方向である。
【００１２】
「パンツ」（「使い捨てトレーニングパンツ」、「トレーニングパンツ」、「失禁用パンツ」、及び「プルオンパンツ型おむつ」とも呼ばれる）は、幼児、子供、又は成人の着用者（以降、「着用者」）のために設計された、連続的な外辺部腰部開口部及び連続的な外辺部脚部開口部を有する、使い捨て吸収性物品を指す。パンツは、パンツが着用者に適用される前に、連続的な又は閉じられた腰部開口と、少なくとも１つの連続的な又は閉じられた脚部開口とを有する構成である場合がある。パンツは、任意の再締結可能な及び／又は恒久的なクロージャ部材（例えば、シーム、熱結合、圧力溶接、接着剤、粘着結合、機械的締結具など）を使用して吸収性物品の一部を一緒に接合することが挙げられるがこれらに限定されない任意の好適な技術で予備成形され得る。パンツは、腰部区域におけるその周辺部に沿ったどの位置でも予備成形することができる（例えば、側部を締結する、前側腰部を締結する、後側腰部を締結する）。パンツ及びパンツ構成の例は、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許出願公開第２００３／０２３３０８２号に開示されている。
【００１３】
「側縁部シーム」は、所定の側縁部を指し、前側腰部区域の側縁部又は側縁部に隣接した区域の一部分は、後側腰部区域の同じ側縁部又は側縁部に隣接した区域の一部分に接合されて、閉じて取り囲まれた脚部開口部及び閉じた腰部開口部を規定する。
【００１４】
図１は、ベルト構成を有する使い捨て吸収性パンツ１０の一般的な簡略化した斜視図の描写である。パンツ１０は、中心シャーシ２０及び弾性ベルト３０を含んでよい。弾性ベルト３０は、横方向に弾性的延伸性があってよく、着用のしやすさのための弾性伸縮性、及び着用後のぴったりしたかつ快適なフィットを提供する。中心シャーシ２０は、着用者に面する液透過性トップシート（図１では具体的には非表示）、外側又は衣類に面するバックシート（図１では具体的には非表示）、及びトップシートとバックシートとの間に挟まれた又は包まれた吸収性コア（図１では具体的には非表示）を含んでよい。一対の横方向に対向し、長手方向に延在するバリアカフ２５もまた、中心シャーシの股部区域内に中心シャーシと共に組み込まれてよく、トップシートに隣接して配置される。通常、中心シャーシ及びバリアカフは、米国特許仮出願第６１／４８０，６６３号及び当該出願に対して優先権を主張する出願に記載されるようなものであるが、これらに限定されない、使い捨ておむつ、トレーニングパンツ、及び成人の失禁用パンツに好適な、レッグカフ構造を含む任意の構成体及び構成要素を有してよい。弾性ベルト３０は、前側部分３１及び後側部分３２を有してよい。前側及び後側部分３１、３２は、対応の左右の側縁部シーム３３ｌ、３３ｒで一緒に接合されてよい。弾性ベルト３０は、パンツ１０の、腰部開口部１５を画定する前側及び後側腰部縁部１１、１２、並びに左右の脚部開口部縁部１３ｌ、１３ｒの少なくとも一部分を形成してよい。使い捨て吸収性パンツ１０、特に、弾性ベルト３０は、再締結可能な機構を作製するための締結構成要素２００ｌ及び２００ｒを含んでよい。
【００１５】
図２は、図１に示すパンツ１０の前駆体構造の簡略化した平面図であり、前側及び後側部分３１、３２を対応の側縁部３４ｌ、３５ｌ及び３４ｒ、３５ｒに沿って接合する前を示す。前側部分３１を含む前側区域３１ａ及び後側部分３２を含む後側区域３２ａは、それぞれ前駆体構造の長手方向全長の２５パーセント〜４０パーセント程度を含んでよく、同様に股部区域４５は、前駆体構造の長手方向全長の２０パーセント〜５０パーセント程度を、少なくともその一部分が横軸１１０に位置する状態で含んでよい。パンツ１０を形成するために、前駆体構造を横軸１１０で折り曲げて、前側及び後側区域３１ａ、３２ａ並びに前側及び後側部分３１、３２を、それらの側縁部３４ｌ、３５ｌ及び３４ｒ、３５ｒがそれぞれ側縁部シーム３３ｌ、３３ｒ（図１に表示するように）で接合できるように合わせることができる。図２に示す実施形態は、再締結可能に接合され得る締結要素２０１〜２０４を含む。特に（Particulalry）、締結要素２０１及び２０３は、締結要素２０２及び２０４とそれぞれ接合するフック要素であってよい。締結要素２０１及び２０３は、弾性ベルト３０の外面上に示されるが、弾性ベルト３０の内面上に位置することもできる。締結要素２０２及び２０４は、ループ要素の個別部材であってよく、又は弾性ベルトの内側（表示のように）又は外側を裏打ちする不織布シートの一部である、ループ要素の領域であってよい。別の実施形態では、締結要素２０１及び２０３はループ要素であってよく、締結要素２０２及び２０４はフック要素であってよい。締結要素の追加の実施形態は、図４〜６で説明及び図示される。
【００１６】
締結要素２０１〜２０４が弾性ベルト３０の内面同士を嵌合すると、フランジシームが形成されることが理解される。しかし、締結要素２０１〜２０４が弾性ベルト３０の内面と外面を嵌合すると、図１に示すように重なり合うシームが形成される。締結要素２０１〜２０４は生産プロセス中に締結される、及び／又は着用者若しくは介護者により使用前にパッケージ内で締結されることができる（すなわち、パンツは「閉じた形状」で販売することができる）。あるいは、パンツは「開いた形状」で販売されてよく、その形状では締結要素２０１〜２０４はパッケージ内で接合されていない。
【００１７】
更に図２を参照すると、前側及び後側部分３１、３２の１つ又は両方は、腰部縁部１１、１２近傍に配置された少なくとも１つの第１弾性部材３６、３７、及び脚部開口部縁部１３ｌ、１３ｒ近傍に配置された少なくとも１つの第２弾性部材３８、３９を含んでよい。図２で示すように、１つ又は複数の腰部弾性部材３６、３７は、実質的に真っ直ぐ横向きに配置されてよく、１つ又は複数の脚部弾性部材３８、３９は、脚部開口部１３ｌ、１３ｒ（図１に表示するように）の周囲に輪のような弾性伸長をもたらすために、曲線状経路に沿って配置されてよい。後述するようにすっきりした外観を有するパンツを製造する目的で、脚部弾性部材３８、３９は、シャーシ２０のそれぞれの長手方向縁部２１に近接して終端することが所望される場合がある。
【００１８】
弾性部材３６、３７、３８、及び３９は、例えば、同時係属中の米国特許出願第１１／４７８，３８６号及び同第１３／３３１，６９５号、並びに米国特許第６，６２６，８７９号に記載されるものなどのような、任意のエラストマー材の任意の構成で形成される、フィルム又はその断片若しくはストリップ、円形若しくは任意の他の断面のストリップ、リボン、帯、スクリム、又はストランドの形態であってもよい。好適な例は、Ｉｎｖｉｓｔａ（Ｗｉｃｈｉｔａ，Ｋａｎｓａｓ）の製品のＬＹＣＲＡ  ＨＹＦＩＴストランドである。
【００１９】
パンツの弾性ベルト及び後部区域は、いくつかの構成であってよく、これらの構成は、２０１２年６月２９日出願の米国特許出願第６１／６６６，０６５号（発明の名称「ＤＩＳＰＯＳＡＢＬＥ  ＡＢＳＯＲＢＥＮＴ  ＲＥＦＡＳＴＥＮＡＢＬＥ  ＰＡＮＴＳ  ＡＮＤ  ＭＥＴＨＯＤＳ  ＦＯＲ  ＭＡＮＵＦＡＣＴＵＲＩＮＧ  ＴＨＥ  ＳＡＭＥ」）の図３Ａ〜Ｃ及び４Ａ−ｋで説明及び図示されるとおりである。更に、本開示の吸収性物品は、米国特許出願第６１／６６６，０６５号の説明及び図面に従って製造することができる（例えば‘０６５出願の図５〜１０Ｃを参照のこと）。
【００２０】
図３を参照すると、一実施形態では、締結要素２０１〜２０４は、脚部開口部１４及び腰部開口部１５をそれぞれ形成するように接合されたとき、締結構成要素２００を利用しやすくするようにパンツ１０の前部区域３１ａ内に配設又は形成することができる。締結要素が接合されて、脚部及び腰部開口部が形成されると、前側区域３１ａは、パンツ１０の、各腰軸２０６（着用時の着用者の腰の中央を示す軸）より前方の領域と見なされ得る。なお、第１フックタイプ締結要素２０２及び２０４が締結され得るループタイプ締結要素２０１及び２０３は、単に前側区域３１ａの一部分に配置され得るか、又は形成され得る。接合したときに締結構成要素２００が前側区域３１ａ内に存在するように配向することによって締結構成要素２００へのアクセスを改善することによって、介護者がパンツ１０を開放及び再締結するのが大幅に容易になり、前側腰部区域と前側区域３１ａとの締結を可能にし、着用者が介護者の前に立っているとき（例えば、対面して）、又は着用者が仰向けに寝ているときに、介護者がパンツ１０を交換する工程、又はパンツ１０を点検する工程がより容易になる。加えて、パンツ１０又はおむつの前側区域３１ａの締結構成要素２００の締結はまた、これがテープ式おむつと似ているために、介護者にとって馴染み深いものである。
【００２１】
パンツを開放及び再締結する能力は、介護者に利便性を提供する。例えば、外出時、又は着用者の衣類及び／若しくは靴を脱がせるのが難しいときは、従来的なテープ式おむつとしてパンツを適用する方がより便利である場合がある。着用者がいつ交換を必要とするか、したがっていつ特定の様式の適用が必要とされるかを予測することは困難であるため、従来的なテープ式おむつとして、又は使い捨てトレーニングパンツとしてのいずれかで適用されるように適合可能であるパンツを提供することが有益である。加えて、従来的なテープ式おむつ又は使い捨てトレーニングパンツのように適用され得る製品はまた、製品を着用者の脚の下に滑らせることを必要とせずに、製品の内側を点検することを可能にする。本開示のパンツは、適用及び取り外しに関する二重機能を提供する一方で、使用したパンツを容易に包み、処分することを可能にする。
【００２２】
様々な実施形態では、各締結構成要素２００は、例えば、接着剤結合、音波接着、圧力接着、熱接着、又はそれらの組み合わせのような任意の好適な方法によって、直接的又は間接的にパンツ１０に接合され得る。締結システム及び／又は締結構成要素２００のいくつかの好適な実施例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、同第７，１０１，３５９号、及び同第７，４０７，４６８号に記載されている。
【００２３】
図４は、２つの物品を横軸（例えば、図２の１１０）上で折り畳んで形成したパンツ（例えばパンツの片側１０−１及び片側１０−２）の形成を図示しており、図には、パンツの各片側の一部のみが示されている。本開示の単に一実施形態であるこの実施形態では、パンツの各片側１０−１及び１０−２は前部ベルト３０ａを備え、これら前部ベルトは、第１側縁部３４ｒ及び３４ｌそれぞれから、横方向に対向する第２側縁部（図示せず）まで延在し、横方向に対向する永久側縁シーム２０８の部分を形成する。また、パンツの各片側１０−１及び１０−２に関して、後部ベルト３０ｂは、第１側縁部３５ｒ及び３５ｌの隣接部それぞれから、対向する第２側縁部（図示せず）の隣接区域まで延在し、横方向に対向する永久側縁シーム２０８の部分を形成しない。パンツ１０−１及び１０−２は、前部ベルト３０ａと後部ベルト３０ｂとの間に配置された締結タブ部材２１０を更に備える。この実施形態の締結タブ部材２１０は前部ベルトの着用者に面する表面に永久的に接合され、締結タブ部材２１０と後部ベルト３０ｂとの間に配置されて後部弾性ベルト３０ｂの着用者に面する表面と再締結可能に係合することができる、第１及び第２締結要素２０２及び２０４を備える。この実施形態では、締結タブ部材２１０は２回折り畳まれる（横方向に内向きに、次いで横方向に外向きに）ので、締結タブ部材２１０は第１折り目３０２ａ及び３０２ｂ、並びに第２折り目３０４ａ及び３０４ｂを含む。締結タブ部材２１０を構成するウェブは、弾性ベルト３０に接合される前に折り畳むことができる（この実施形態、並びに図５及び６の実施形態についても、そして一般的に）。
【００２４】
一時的な結合３００ａ〜ｃは、ウェブを制御するために、及び／又は締結タブ部材２１０を後部ベルト３０ｂに対してきつく維持するために使用することができる。一時的な結合３００ａ〜ｃはそれぞれ、結合の強さにおいて様々であってよく（例えば、３００ａは３００ｂより弱くてよく、３００ｂは３００ｃより弱くてよい）、又はそれらは全て同じ強さであってもよい。一時的な結合３００ａ〜ｃは、２０１０年６月４日出願の第１２／７９４，１３０号（発明の名称「ＭＥＴＨＯＤ  ＦＯＲ  ＭＡＩＮＴＡＩＮＩＮＧ  Ａ  ＦＡＳＴＥＮＥＲ  ＩＮ  Ａ  ＦＯＬＤＥＤ  ＣＯＮＦＩＧＵＲＡＴＩＯＮ」）に開示される接着剤により形成することができる。また、一時的な結合は、図５及び６の実施形態の締結タブ部材２１０を構成するウェブ上で、及び一般的に、使用することができる。締結構成要素２００は、後部ベルト３０ｂに形成されるか又は配置される第２締結要素２０１及び２０３を含んでよい。この構成では、締結タブ部材２１０を構成するウェブは、締結要素２０２及び２０４と前部ベルト３０ａとの間に配置される。
【００２５】
本開示の代替の実施形態（図示せず）で、図４と同一の実施形態では、締結タブ部材２１０が後部ベルト３０ｂに取り付けられる場合があり、締結要素２０２及び２０４が前部弾性ベルト３０ａと再締結可能に係合することができる場合がある点が異なる。
【００２６】
図５は、２つの物品を横軸（例えば、図２の１１０）上で折り畳んで形成したパンツ（パンツの片側１０−１及び片側１０−２）の形成を図示しており、図には、パンツの各片側の一部のみが示されている。本開示の単に一実施形態であるこの実施形態では、パンツの各片側１０−１及び１０−２は後部ベルト３０ｂを備え、これら後部ベルトは、第１側縁部３５ｒ及び３５ｌそれぞれから、横方向に対向する第２側縁部（図示せず）まで延在し、横方向に対向する永久側縁シーム２０８ｂの部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８ａの一部を形成する。本物品は、後部ベルト３０ｂの着用者に面する表面に永久的に接合された締結タブ部材２１０ａを更に備える。この実施形態では、締結タブ部材２１０ａは１回折り畳まれるので、締結タブ部材２１０は第１折り目３０２ａ及び３０２ｂを含む。また、本物品は、（前部ベルト３０ａの着用者に面する表面に永久的に接合された）締結タブ部材２１０ｂ上に配置され、締結タブ部材２１０ａと再締結可能に係合することができる、第１締結要素２０２及び２０４を備える。締結構成要素２００は、締結タブ部材２１０ａに形成されるか又は配置される第２締結要素２０１及び２０３を含んでよい。この構成では、締結タブ部材２１０ａを構成するウェブは、締結要素２０２及び２０４と後部ベルト３０ｂとの間に配置される。
【００２７】
本開示の代替の実施形態（図示せず）で、図５と同一の実施形態では、締結タブ部材２１０ａが前部ベルト３０ａに取り付けられる場合があり、締結タブ部材２１０ｂが後部ベルト３０ｂに取り付けられる場合がある点が異なる。
【００２８】
図６は、２つの物品を横軸（例えば、図２の１１０）上で折り畳んで形成したパンツ（パンツの片側１０−１及び片側１０−２）の形成を図示しており、図には、パンツの各片側の一部のみが示されている。本開示の単に一実施形態であるこの実施形態では、パンツの各片側１０−１及び１０−２は後部ベルト３０ｂを備え、これら後部ベルトは、第１側縁部３５ｒ及び３５ｌそれぞれから、横方向に対向する第２側縁部（図示せず）まで延在し、横方向に対向する永久側縁シーム２０８ｂの部分を形成する。また、パンツの各片側１０−１及び１０−２に関して、前部ベルト３０ａは、第１側縁部３４ｒ及び３４ｌの隣接部それぞれから、対向する第２側縁部（図示せず）の隣接区域まで延在し、横方向に対向する永久側縁シーム２０８ａの一部を形成する。本物品は、後部ベルト３０ｂの着用者に面する表面に永久的に接合された締結タブ部材２１０ａを更に備える。この実施形態では、締結タブ部材２１０ａは１回折り畳まれるので、締結タブ部材２１０は第１折り目３０２ａ及び３０２ｂを含む。また、本物品は、締結タブ部材２１０ａ上に配置され、（前部ベルト３０ａの着用者に面する表面に永久的に接合された）締結タブ部材２１０ｂと再締結可能に係合することができる、第１締結要素２０２及び２０４を備える。締結構成要素２００は、締結タブ部材２１０ｂに形成されるか又は配置される第２締結要素２０１及び２０３を含んでよい。この構成では、締結タブ部材２１０ａを構成するウェブは、締結要素２０１及び２０３と前部ベルト３０ａとの間に配置される。
【００２９】
本開示の代替の実施形態（図示せず）で、図６と同一の実施形態では、締結タブ部材２１０ａが前部ベルト３０ａに取り付けられる場合があり、締結タブ部材２１０ｂが後部ベルト３０ｂに取り付けられる場合がある点が異なる。例えば図６では、後部ベルトに取り付けられたウェブの折り畳まれた部分は、タブ部材２０３と前部ベルトとの間に配置され、タブ部材の着用者に面する表面に接合される。図５では、後部ベルトに取り付けられたウェブの折り畳まれた部分は、タブ部材と後部ベルトとの間に配置され、タブ部材の衣類に面する表面に取り付けられる。
【００３０】
図４〜６により図示される実施形態のそれぞれは、折り畳まれた締結タブ部材を必要とする。締結タブ部材を１回以上折り畳むことにより、余分の締結タブ材料が腰部周囲のより大きな部品を構成する目的のために使用されることを可能にする。そのため、より弾性でない前部及び後部ベルト材料を、より伸縮能が高い折り畳まれた締結タブ部材と組み合わせて使用することができる。したがって、前部及び後部ベルトは、締結タブ部材とは異なる材料であってよい。例えば、ベルトは撚った弾性／不織布積層体であってよく、一方で締結タブ部材はフィルム／不織布積層体又はフィルム／ストランド積層体であってよい。
【００３１】
図４〜６によって示されるそれぞれの実施形態、並びにこれらの図の開示された代替の実施形態では、ベルト３０ａ及び３０ｂは、２０１２年５月１５日に出願された米国特許出願第６１／６４６，９９９号に従って形成されてよいことを理解されたい。更に、米国特許出願第６１／６４７，０６１号、同第６１／６４７，０７１号、同第６１／６４７，０７８号（それぞれ２０１２年５月１５日出願）に開示されている製造方法及び得られるテクスチャーを使用することが可能である。また、ベルト弾性体の応力、歪み、及び間隔は、２０１２年２月１３日に出願された米国特許出願第６１／５９８，０１２号に開示されるように実施されてよい。
【００３２】
また、これらの物品は、２０１２年４月２７日出願の米国特許出願第１３／４５７，５２１号に開示されるカフを備えてよく、それぞれ２０１２年５月１５日出願の米国特許出願第６１／６４６，９５３号及び同第６１／６４６，９７９号によるグラフィックスを有してよいことを理解されたい。また、図４〜６によって示されるそれぞれの実施形態、並びにこれらの図の開示された代替の実施形態で開示される再締結可能なパンツのシーミング及び成形については、これら実施形態は、その単純さのため毎分１０００個を超える物品を生成するのに特に適しているので、熱風シーミングプロセス、並びに、米国特許第６，２４８，１９５号、並びに米国特許出願第１２／７９５０２１号、同第１３／４０１，９０７号、及び同第１３／４０２，０５６号に開示される物品成形プロセスを用いることが望ましい場合がある。弾性要素を含む物品要素の大部分は、機械方向に連続的に形成される。加えて、そのようなプロセスは、配置の正確性を維持し、かつ製品の機能性及び外観の鍵である一体性を確保しながら、これらの連続的な機械方向の副構造に再締結可能要素を高速で導入及び結合するのを可能にする。
【００３３】
本明細書で引用する特許及び特許出願（それら出願に対して発行されるあらゆる特許を含む）は、本明細書と矛盾しない範囲で参照により本明細書に組み込まれる。
【００３４】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。「本発明の詳細な説明」で引用したすべての文献は、関連部分において、参照により本明細書に組み込まれ、いかなる文献の引用も、本開示に対する先行技術であることを認めるものと解釈されるべきではない。本文書中の用語の任意の意味又は定義が、参照により組み込まれた文献中の同一用語の任意の意味又は定義と相反する限りにおいては、本文書においてその用語に与えられた意味又は定義を適用する。
【００３５】
本開示の特定の実施形態について説明し記載したが、本発明の趣旨及び範囲から逸脱することなく他の様々な変更及び修正が可能であることは当業者には明白であろう。したがって、発明の範囲は、添付の特許請求及びその同等物によってのみ限定されることが意図される。
【図１】
2016508857.tif 000003
【図２】
2016508857.tif 000004
【図３】
2016508857.tif 000005
【図４】
2016508857.tif 000006
【図５】
2016508857.tif 000007
【図６】
2016508857.tif 000008
【国際調査報告】
2016508857.tif 000009
2016508857.tif 000010